(57)【特許請求の範囲】
【請求項１】
アンテナに接続され、状態によって特性が変化するデュプレクサと、
前記デュプレクサまたはその周辺の温度と前記デュプレクサに入力する信号の周波数に応じた前記デュプレクサの特性に関する補正データを記憶する第１の記憶部と、
前記補正データのうち現在の状態に応じた前記補正データを記憶する第２の記憶部と、
所定の周期で前記第２の記憶部から前記補正データを読み出して、当該読み出した補正データに基づいて増幅器を制御することで、前記デュプレクサの特性の変化を補正する制御部と
を有することを特徴とする送受信用電子機器。
【請求項２】
前記補正データは、
前記デュプレクサまたはその周辺の温度に関する温度データと、
前記デュプレクサに入力する信号の周波数に関する周波数データとを含み、
前記周波数データは、
周波数が複数の周波数帯域に区分されている
ことを特徴とする請求項１に記載の送受信用電子機器。
【請求項３】
前記第１の記憶部は、
前記補正データを第１、第２および第３の周波数帯域ごとに分けて記憶する
ことを特徴とする請求項１または２に記載の送受信用電子機器。
【請求項４】
前記制御部は、
前記補正データを補間して前記デュプレクサの特性を制御する
ことを特徴とする請求項３に記載の送受信用電子機器。
【請求項５】
前記特性は送信電力であって、
前記制御部は、
前記送信電力を制御する
ことを特徴とする請求項１から４のいずれか一に記載の送受信用電子機器。
【請求項６】
アンテナに接続され、状態によって特性が変化するデュプレクサを含む送受信用電子機器の制御方法であって、
前記送受信用電子機器が、前記デュプレクサまたはその周辺の温度と前記デュプレクサに入力する信号の周波数に応じた前記デュプレクサの特性に関する補正データを記憶し、
前記送受信用電子機器が、前記補正データのうち現在の状態に応じた前記補正データを記憶し、
前記送受信用電子機器が、所定の周期で前記記憶した補正データを読み出して、当該読み出した補正データに基づいて増幅器を制御することで、前記デュプレクサの特性の変化を補正する
ことを特徴とする送受信用電子機器の制御方法。
【請求項７】
アンテナに接続され、状態によって特性が変化するデュプレクサを含む送受信用電子機器のプログラムであって、
前記デュプレクサまたはその周辺の温度と前記デュプレクサに入力する信号の周波数に応じた前記デュプレクサの特性に関する補正データを記憶する第１の処理と、
前記補正データのうち現在の状態に応じた前記補正データを記憶する第２の処理と、
所定の周期で前記記憶した補正データを読み出して、当該読み出した補正データに基づいて増幅器を制御することで、前記デュプレクサの特性の変化を補正する第３の処理と
を前記送受信用電子機器に実行させることを特徴とするプログラム。
【発明の詳細な説明】
【技術分野】
【０００１】
本発明は、温度および周波数等の状態によって送信電力等の被制御対象の特性が変化する電子機器およびその制御方法、並びにプログラムに関するものである。
【背景技術】
【０００２】
携帯電話機をはじめとする電子機器は、温度変化等の周囲の状態の影響を受けやすいＣＰＵや増幅器などのハードウェアが多く使用されている。そのため、送信電力の増大に伴ってハードウェア自身が発熱するなど、温度変化により安定した送信電力が維持できず、通信可能範囲が狭くなることがある。
温度変化の影響を受けやすいハードウェアは上述したものの他に、デュプレクサがある。デュプレクサは、特定の周波数の信号のみを通過させるフィルタ等で構成され、送信信号と受信信号とを分離できるため、多重通信を行う携帯電話機等の電子機器に使用される。
【０００３】
従来より提案されてきた安定した送信電力の供給方法を図９および図１０を参照しながら説明する。図９は、電子機器を構成する送信回路の従来例を示すブロック図である。図１０は、デュプレクサのフィルタ特性を示す従来例の図である。
【０００４】
電子機器は、送信回路１００、記憶部および制御部を有する。送信回路１００は、たとえば図９のようにアンテナ２００、デュプレクサ３００、増幅器４００、温度検出部５００、電力検出部６００、およびフィルタ７００で構成されている。
【０００５】
従来、デュプレクサ３００のフィルタには、図１０（Ａ）に示すような特性をもつフィルタ（たとえば誘電体フィルタ）が使用されていた。図１０（Ａ）の横軸は送信周波数を、縦軸は送信電力の損失を表し、このフィルタの場合、温度によって送信電力が変化することを示している。
図９，図１０（Ａ）の例では、電力検出部６００が、フィルタ７００を介して増幅器４００が増幅した送信信号の送信電力を検出し、温度検出部５００が送信回路よりも内部（たとえばＣＰＵ）の温度を検出し、図示しない制御部が温度に対応した補正データを参照して温度補正を行い、送信電力を広い温度範囲にわたって一定に制御するように増幅器４００を制御する（たとえば特許文献１を参照）。
【特許文献１】特開平４−３５４２０９号公報
【発明の開示】
【発明が解決しようとする課題】
【０００６】
フィルタによっては、たとえば図１０（Ｂ）に示すように送信電力が周波数と温度によって影響を受けるものがある。
引用文献１や従来の送信回路は、図１０（Ａ）に示すような特性のフィルタをデュプレクサに使用した場合、温度補正のみを行えばよいため、送信電力の制御が可能である。
しかし、引用文献１や従来の送信回路は、図１０（Ｂ）に示すようなフィルタをデュプレクサに使用した場合、周波数変化と温度変化が送信電力に影響を与える上、それら変化に一定の傾向がないため、精度よく安定した送信電力の制御ができない。
【０００７】
本発明は、精度よく安定して被制御対象の特性を制御することが可能な電子機器およびその制御方法、並びにプログラムを提供する。
【課題を解決するための手段】
【０００８】
本発明の第１の観点の送受信用電子機器は、アンテナに接続され、状態によって特性が変化するデュプレクサと、前記デュプレクサまたはその周辺の温度と前記デュプレクサに入力する信号の周波数に応じた前記デュプレクサの特性に関する補正データを記憶する第１の記憶部と、前記補正データのうち現在の状態に応じた前記補正データを記憶する第２の記憶部と、所定の周期で前記第２の記憶部から前記補正データを読み出して、当該読み出した補正データに基づいて増幅器を制御することで、前記デュプレクサの特性の変化を補正する制御部とを有する。
【００１１】
好適には、前記補正データは、前記デュプレクサまたはその周辺の温度に関する温度データと、前記デュプレクサに入力する信号の周波数に関する周波数データとを含み、前記周波数データは、周波数が複数の周波数帯域に区分されている。
【００１２】
好適には、前記第１の記憶部は、前記補正データを第１、第２および第３の周波数帯域ごとに分けて記憶する。
【００１３】
好適には、前記制御部は、前記補正データを補間して前記デュプレクサの特性を制御する。
【００１４】
好適には、前記特性は送信電力であって、前記制御部は、前記送信電力を制御する。
【００１６】
本発明の第２の観点の送受信用電子機器の制御方法は、アンテナに接続され、状態によって特性が変化するデュプレクサを含む送受信用電子機器の制御方法であって、前記送受信用電子機器が、前記デュプレクサまたはその周辺の温度と前記デュプレクサに入力する信号の周波数に応じた前記デュプレクサの特性に関する補正データを記憶し、前記送受信用電子機器が、前記補正データのうち現在の状態に応じた前記補正データを記憶し、前記送受信用電子機器が、所定の周期で前記記憶した補正データを読み出して、当該読み出した補正データに基づいて増幅器を制御することで、前記デュプレクサの特性の変化を補正する。
【００１７】
本発明の第３の観点のプログラムは、アンテナに接続され、状態によって特性が変化するデュプレクサを含む送受信用電子機器のプログラムであって、前記デュプレクサまたはその周辺の温度と前記デュプレクサに入力する信号の周波数に応じた前記デュプレクサの特性に関する補正データを記憶する第１の処理と、前記補正データのうち現在の状態に応じた前記補正データを記憶する第２の処理と、所定の周期で前記記憶した補正データを読み出して、当該読み出した補正データに基づいて増幅器を制御することで、前記デュプレクサの特性の変化を補正する第３の処理とを前記送受信用電子機器に実行させる。
【発明の効果】
【００１８】
本発明によれば、精度よく安定して被制御対象の特性を制御することが可能な電子機器およびその制御方法、並びにプログラムを提供できる。
【発明を実施するための最良の形態】
【００１９】
以下、本発明の実施形態を図面に関連付けて説明する。
【００２０】
まず、安定した送信電力の制御を行うために、本発明の前提となる電子機器は次のような送信電力補正を行っている。
【００２１】
上記本発明の前提となる電子機器の動作について、この電子機器が備える制御部が行う温度補正を中心に図１、図２、図３、図９、図１０を参照しながら説明する。図１は、上記電子機器が有する記憶部の構成例を示す図である。図２および図３は、上記電子機器の動作を示すフローチャートである。
【００２２】
はじめに図１を参照しながら上記電子機器の記憶部の構成例について説明する。記憶部８００は、データ領域８１０、およびフラグ領域Fを有し、データ領域８１０は領域L、領域Mおよび領域Ｈで構成されている。
領域LにはLow Band帯域用の補正データLが、領域MにはMiddle Band帯域用の補正データMが、領域ＨにはHigh Band帯域用の補正データHがあらかじめ記憶されている。
それぞれの補正データＬ，Ｍ，Ｈには、図１０（Ｂ）に示す周波数帯域に応じてデュプレクサ３００の温度特性を補正するための周波数と温度に関するデータが含まれている。
図１０（Ｂ）に示すように、周波数帯域は、低周波数帯域（Low Band；以下Ｌ帯域とする）、中間周波数帯域（Middle Band；以下M帯域とする）、高周波数帯域（High Band；以下Ｈ帯域とする）に区分されている。
【００２３】
（ステップＳＴ１ａ）
ハンドオフや電源再投入などによって、周波数を接続する基地局のものに切り替える処理を行うことがある。そのため、図２のように本ステップＳＴ１ａでは、使用すべきチャネルの変更に関するチャネル変更処理が実行される。
詳細には図３（Ａ）のように、制御部は、接続する基地局に応じたチャネルの変更を行うか否かを判断する（ステップＳＴ１１ａ）。制御部がチャネルの変更を行う場合は（ＹＥＳ）、切り替える周波数を検出し（ステップＳＴ１２ａ）、チャネル変更を行わない場合は（ＮＯ）、チャネル変更処理を終了して次ステップＳＴ２ａの処理を実行する。
チャネル変更を行う場合において、制御部はステップＳＴ１２ａにおける周波数の検出結果が、Ｌ帯域である場合、フラグ領域ＦにフラグＬを記憶させ（ステップＳＴ１３ａ）、Ｍ帯域である場合、フラグ領域ＦにフラグＭを記憶させ（ステップＳＴ１４ａ）、Ｈ帯域である場合、フラグ領域ＦにフラグＨを記憶させ（ステップＳＴ１５ａ）、チャネル変更処理を終了して次ステップＳＴ２ａの処理を実行する。
【００２４】
（ステップＳＴ２ａ）
本ステップでは、電子機器が送信信号Ｔｘの送信を開始する。
詳細には、制御部は高周波の送信信号Ｔｘを生成する。送信信号Ｔｘは、たとえばＤＭＡ方式に対応した変調が施され、電力（送信電力）が最大となるように増幅された後、デュプレクサ３００に出力される。その後、送信信号Ｔｘは、デュプレクサ３００にてノイズ等の余分な周波数成分が減衰される。送信信号Ｔｘの周波数は、ステップＳＴ１２ａにて検出された周波数の送信信号Ｔｘのみが分波回路等によって分離される。デュプレクサ３００は、高周波の送信信号Ｔｘを取り出してアンテナ１１を介して放射させる。
【００２５】
（ステップＳＴ３ａ）
図２のように本ステップでは、最大送信電力の補正（制御）に関する最大送信電力補正処理が実行される。
詳細には図３（Ｂ）のように、制御部は送信信号Ｔｘを送信中（上述のステップＳＴ２ａの処理）か否かを判断し（ステップＳＴ３１ａ）、送信中の場合（ＹＥＳ）、フラグ領域Ｆに記憶されたフラグを検出し（ステップＳＴ３２ａ）、送信中でない場合（ＮＯ）、最大送信電力補正処理を終了して送信を終了する（ステップＳＴ４ａ）。
制御部は、ステップＳＴ３２ａにおけるフラグの検出結果が、フラグＬである場合、領域Ｌの補正データＬを読み出して送信電力を補正し（ステップＳＴ３３ａ）、フラグＭである場合、領域Ｍの補正データＭを読み出して送信電力を補正し（ステップＳＴ３４ａ）、フラグＨである場合、領域Ｈの補正データＨを読み出して送信電力を補正する（ステップＳＴ３５ａ）。
上記ステップＳＴ３３ａ〜ＳＴ３５ａにおいて、最大送信電力補正処理は次のように実行される。温度検出部５００は、デュプレクサ３００（周辺）の温度を測定し、測定温度をＡ／Ｄ変換器（不図示）でアナログからデジタルの信号に変換し制御部に出力する。制御部は、温度検出部５００が測定した温度およびステップＳＴ１２ａにて検出された周波数を、データ領域８１０から読み出した補正データ（Ｌ，Ｍ，Ｈのいずれか）に含まれる温度および周波数と照らし合わし、線形補間等の処理を行ってデュプレクサ３００の温度による周波数特性の変化を吸収する値を算出する。そして、制御部は、増幅器４００を制御して送信電力が最大となるように制御する。なお、ここでの補間方法はスプライン補間などでもよく、特に限定されない。
【００２６】
（ステップＳＴ４ａ）
送信が終了するまでの期間、ステップＳＴ３ａの処理をたとえば１０６．２５ｍｓごと（ＳＴ３６ａ）に繰り返す。
【００２７】
しかし、上述の制御方法では、たとえばステップＳＴ３ａの処理において、毎回フラグ領域Ｆを参照し、フラグ領域Ｆに格納された補正データを参照して温度補正を行うため（図３（Ｂ）、ＳＴ３２ａ、ＳＴ３３ａ、ＳＴ３４ａ、ＳＴ３５ａ）、この処理に時間がかかる。
【００２８】
図４は本発明に係る電子機器の一実施形態の構成例を示すブロック図である。本実施形態では、本発明に係る電子機器に携帯電話機を一例として適用させている。
【００２９】
図４に示すように電子機器としての携帯電話機１０は、アンテナ１１、非制御対象としてのデュプレクサ（ＤＵＰ）１２、増幅回路系１３、複変調回路系１４、制御部（ＣＰＵ）１５、記憶部１６、音声処理部１７、表示部１８、操作部１９、および温度センサ２０を有する。増幅回路系１３は、ＡＧＣ（自動利得制御；Automatic Gain Control）増幅器１３１および増幅器１３２で構成され、複変調回路系１４は、変調回路１４１および復調回路１４２で構成されている。
【００３０】
携帯電話機１０は、たとえば送信と受信で周波数を分離するＣＤＭＡ（Code Division Multiple Access）方式で基地局と通信を行い、基地局で送信信号を同レベルで受信できるように送信電力を制御する。携帯電話機１０は、ネットワークを介して行われる音声通話、電子メールの作成とその送受信、ＷＥＢサイトやコンテンツデータ（たとえば動画、画像）の閲覧等を行う機能を有する。
【００３１】
アンテナ１１は、デュプレクサ１２の分波回路１２３に接続され、基地局からの電波信号（受信信号Ｒｘ）を受信し、基地局に対し電波信号（送信信号Ｔｘ）を送信する。
【００３２】
その他の送受信回路は、送信用のＳＡＷフィルタ１２１、アイソレータ１２２、分波回路１２３、低雑音増幅器（Low. Noise Amplifier；ＬＮＡ）１２４、受信用のＳＡＷフィルタ１２５を有し、アンテナ１１を介して入出力される送信信号Ｔｘおよび受信信号Ｒｘの周波数を分離する。以下、各構成要素について説明する。
【００３３】
ＳＡＷフィルタ１２１は、ＡＧＣ増幅器１３１から高周波の送信信号Ｔｘが入力され、ノイズ等の余分な周波数成分を減衰させ、所望する周波数の送信信号Ｔｘのみをアイソレータ１２２に出力する。
【００３４】
アイソレータ１２２は、ＳＡＷフィルタ１２１からノイズが除去された送信信号Ｔｘが入力され、この送信信号Ｔｘのみを分波回路１２３に出力し、パワーアンプ１２０を保護するため分波回路１２３からパワーアンプ１２０に向かう信号を遮断する。
【００３５】
分波回路１２３は、バンドパスフィルタ（ＢＰＦ）２つで構成され、送信と受信の周波数に分離する。
【００３６】
低雑音増幅器１２４は、分波回路１２３から入力された受信信号を増幅し、ＳＡＷフィルタ１２５に出力する。
【００３７】
ＳＡＷフィルタ１２５は、低雑音増幅器１２４から受信信号が入力され、ノイズ等の余分な周波数成分を減衰させ、所望する周波数の受信信号Ｒｘのみを増幅器１３２に出力する。
【００３８】
ＳＡＷフィルタ１２１，１２５の構成は特に限定されないが、たとえば特許公報「特許第３７１６１２３号」に記載のＳＡＷフィルタ（弾性表面波装置）が好適に適用される。また、ＳＡＷフィルタ１２１を通過する周波数がＳＡＷフィルタ１２５を通過する周波数の影響を受けないようにするのが望ましい。
【００３９】
上述した各構成要素は、小型化のため密集して配置されている。したがって、パワーアンプ１２０等の発熱によってデュプレクサ１２の温度が常温よりも高くなる場合や、携帯電話機１０の周辺温度によってはデュプレクサ１２の温度が常温よりも低くなる場合があり、フィルタ特性が安定しないことがある。また、各構成要素の性能のバラ付きによっても、温度特性が安定しないことがある。
【００４０】
次に、デュプレクサ１２のフィルタ特性について一例を挙げて説明する。図５は、本実施形態に係るデュプレクサのフィルタ特性を示す一例の図である。図５（Ａ）は、横軸に示す周波数を３つの帯域に区分し、縦軸に示す送信電力の損失が温度によって変化する様子を示す図である。図５（Ｂ）〜（Ｄ）は、上述の各周波数帯域における温度と送信電力の損失との関係を示す図である。
図５（Ａ）、（Ｂ）によれば低周波数帯域（８８８〜９０２ＭＨｚ程度）では温度が低いほど送信電力の損失が増大し、図５（Ａ）、（Ｃ）によれば中間周波数帯域（９０４〜９１４ＭＨｚ程度）では温度が高いほど送信電力の損失が増大し、図５（Ａ）、（Ｄ）によれば高周波数帯域（９１６〜９３２ＭＨｚ程度）では温度が低いほど送信電力の損失が増大している。
また、図５から分かるように、各周波数帯域では温度特性の傾向が規則的になっている。
そこで本実施形態では、周波数を第１の周波数帯域としての低周波数帯域（Low Band；以下Ｌ帯域とする）、第２の周波数帯域としての中間周波数帯域（Middle Band；以下M帯域とする）、第３の周波数帯域としての高周波数帯域（High Band；以下Ｈ帯域とする）に区分する。それぞれの帯域は、同図に示す変曲点の周波数程度で区分され、図５の場合、Ｌ帯域の幅は８８８〜９０２ＭＨｚ程度、Ｍ帯域の幅は９０４〜９１４ＭＨｚ程度、Ｈ帯域の幅は９１６〜９３２ＭＨｚ程度である。
なお、これらフィルタの特性は、デュプレクサによって異なり、周波数帯域の幅も異なる。
【００４１】
ＡＧＣ増幅器１３１は、変調回路１４１から入力された送信信号Ｔｘを制御部１５の制御に応じて送信電力を増幅し、ＳＡＷフィルタ１２１に出力する。
【００４２】
増幅器１３２は、ＳＡＷフィルタ１２５から入力された受信信号Ｒｘを増幅し、復調回路１４２に出力する。
【００４３】
変調回路１４１は、制御部１５から送信信号Ｔｘが入力され、ＣＤＭＡ方式に応じた変調を行い、ＡＧＣ増幅器１３１に出力する。
【００４４】
復調回路１４２は、増幅器１３２から増幅された受信信号Ｒｘが入力され、ＣＤＭＡ方式に応じた復調を行い、制御部１５に出力する。
【００４５】
制御部１５は、携帯電話機１０の全般的な動作を統括的に制御する。すなわち、制御部１５は、送信電力の制御、チャネルの切り替え処理、基地局と通信しネットワークを介して行われる音声通話、電子メールの作成とその送受信、ＷＥＢサイトやコンテンツデータの閲覧等が操作部１９の操作に応じて適切な手順で実行されるように、ＡＧＣ増幅器１３１、複変調回路系１４、記憶部１６、音声処理部１７、表示部１８、操作部１９、および温度センサ２０を制御する。
制御部１５は、記憶部１６に格納されたプログラム（オペレーティングシステム、アプリケーションプログラム等）に基づいて処理を実行するコンピュータ（マイクロプロセッサ）を備えており、このプログラムにおいて指示された手順に従って上述した各種処理を実行する。すなわち、制御部１５は、記憶部１６に格納されたオペレーションシステムやアプリケーションプログラムから命令コードを順次読み込んで処理を実行する。
なお、制御部１５の詳細については後述する。
【００４６】
記憶部１６は、第１の記憶部としてのデータ領域１６１、および第２の記憶部としての処理領域１６２を有し、構成によっては図示しない他の領域（たとえばフラグ領域）を有することもある。記憶部１６は、たとえば不揮発性の記憶デバイス（フラッシュメモリ）やランダムアクセス可能な記憶デバイス（ＳＲＡＭ、ＤＲＡＭ）等で構成され、制御部１５での処理に利用される各種のデータを記憶する。
記憶部１６が記憶するデータには、補正データ、制御部１５の出力結果、制御部１５が実行するアプリケーションプログラム、プログラムの処理過程で利用される一時的なデータ、使用者の個人情報、通話相手の名前や電話番号、電子メール等の文字情報、電話番号や個人データ等を管理するアドレス帳、着信音（着信メロディ）、音声メッセージ等の音声データ、画像データ等が含まれる。
なお、記憶部１６の詳細については後述する。
【００４７】
音声処理部１７は、スピーカ１７１から出力された音声信号やマイクロフォン１７２において入力された音声信号の処理を行う。すなわち、音声処理部１７は、マイクロフォン１７２から入力された音声を増幅し、アナログ・デジタル変換を行い、さらに符号化等の処理を施し、デジタルの音声データに変換して制御部１５に出力する。
また、音声処理部１７は、制御部１５から供給された音声データに符号化、デジタル・アナログ変換、増幅等の信号処理を施し、アナログの音声信号に変換した上でスピーカ１７１に出力する。
スピーカ１７１は、音声処理部１７から入力された音声信号を放音する。
マイクロフォン１７２は、音声通話に使用され、入力された音声信号を音声処理部１７に出力する。
【００４８】
表示部１８は、たとえば液晶表示パネルや有機ＥＬ（Electro-Luminescence）パネル等の表示デバイスで構成され、制御部１５から供給された映像信号に応じた種々の情報を表示する。
表示部１８が表示する情報には上記の他に、たとえば発信時（着信時）における通話先の電話番号、電子メール等の文字情報、ＷＥＢサイト、静止画像、動画像、日付等の時間情報、電池残量、発信成否等が含まれる。
【００４９】
操作部１９は、たとえば電源キー、決定キー、数字キー、文字キー、方向キー、通話キー、発信キー等各種機能が割り当てられた複数のキーを有する。操作部１９は、これらのキーがユーザによって操作された場合、その操作内容に対応する信号を発生し、これをユーザの指示として制御部１５に出力する。
【００５０】
温度センサ２０は、Ａ／Ｄ（アナログ−デジタル）変換器２０１、サーミスタ等で構成され、デュプレクサ１２の温度を測定可能な範囲に好適に配置されている。温度センサ２０は、デュプレクサ１２またはその周辺部の温度を測定し、Ａ／Ｄ変換器２０１に出力する。
Ａ／Ｄ変換器２０１は、温度センサ２０が測定したアナログの温度データをデジタル信号に変換し制御部１５に出力する。
【００５１】
以上、携帯電話機１０の各構成要素について説明した。次に、制御部１５が行う送信電力の制御動作を中心に携帯電話機１０の動作について説明する。
【００５２】
図６は本実施形態に係る記憶部の構成例を示す図である。図７、図８は本実施形態に係る電子機器の動作を示すフローチャートである。
【００５３】
はじめに図６を参照しながら記憶部１６の構成例について説明する。記憶部１６は、データ領域１６１、および処理領域１６２を有し、データ領域１６１は領域L、領域Mおよび領域Ｈで構成されている。
領域LにはL帯域用の補正データLが、領域MにはM帯域用の補正データMが、領域ＨにはH領域用の補正データHがあらかじめ記憶されている。
それぞれの補正データＬ，Ｍ，Ｈには、図５に示したように周波数によってデュプレクサ１２の温度特性を補正するための周波数と温度に関するデータが含まれている。
【００５４】
（ステップＳＴ１）
ハンドオフや電源再投入などによって、周波数を接続する基地局のものに切り替える処理を行うことがある。そのため、図７のように本ステップＳＴ１では、使用すべきチャネルの変更に関するチャネル変更処理が実行される。
詳細には図８（Ａ）のように、制御部１５は、接続する基地局に応じたチャネルの変更を行うか否かを判断する（ステップＳＴ１１）。制御部１５がチャネルの変更を行う場合は（ＹＥＳ）、切り替える周波数を検出し（ステップＳＴ１２）、チャネル変更を行わない場合は（ＮＯ）、チャネル変更処理を終了して次ステップＳＴ２の処理を実行する。
チャネル変更を行う場合において、制御部１５はステップＳＴ１２における周波数の検出結果が、Ｌ帯域である場合、処理領域１６２に領域Ｌの補正データＬを記憶させ（ステップＳＴ１３）、Ｍ帯域である場合、処理領域１６２に領域Ｍの補正データＭを記憶させ（ステップＳＴ１４）、Ｈ帯域である場合、処理領域１６２に領域Ｈの補正データＨを記憶させ（ステップＳＴ１５）、チャネル変更処理を終了して次ステップＳＴ２の処理を実行する。
【００５５】
（ステップＳＴ２）
本ステップでは、携帯電話機１０が送信信号Ｔｘの送信を開始する。
詳細には、制御部１５は高周波の送信信号Ｔｘを生成し、変調回路１４１に出力する。変調回路１４１は入力された高周波の送信信号ＴｘをＣＤＭＡ方式に対応した変調を施した後、ＡＧＣ増幅器１３１に出力する。ＡＧＣ増幅器１３１は制御部１５の制御に応じて変調回路１４１から入力された送信信号Ｔｘの電力（送信電力）が最大となるように増幅し、デュプレクサ１２に出力する。その後、デュプレクサ１２はＳＡＷフィルタ１２１にてノイズ等の余分な周波数成分を減衰させ、ステップＳＴ１２にて検出された周波数の送信信号Ｔｘのみをアイソレータ１２２を介して分波回路１２３に出力する。その後、分波回路１２３は周波数を分離し、高周波の送信信号Ｔｘを取り出してアンテナ１１を介して放射させる。
【００５６】
（ステップＳＴ３）
図７のように本ステップでは、最大送信電力の補正（制御）に関する最大送信電力補正処理が実行される。
詳細には図８（Ｂ）のように、制御部１５は送信信号Ｔｘを送信中（ステップＳＴ２の処理）か否かを判断し（ステップＳＴ３１）、送信中の場合（ＹＥＳ）、処理領域１６２の補正データ（Ｌ，Ｍ，Ｈのいずれか）を読み出して送信電力を補正し（ステップＳＴ３２）、送信中でない場合（ＮＯ）、最大送信電力補正処理を終了して送信を終了する（ステップＳＴ４）。
上記ステップＳＴ３２における最大送信電力補正処理は、次のように実行される。
具体的には、温度センサ２０は、デュプレクサ１２（周辺）の温度を測定し、測定温度をＡ／Ｄ変換器２０１でアナログからデジタルの信号に変換し制御部１５に出力する。
制御部１５は、温度センサ２０が測定した温度およびステップＳＴ１２にて検出された周波数を、処理領域１６２から読み出した補正データ（Ｌ，Ｍ，Ｈのいずれか）に含まれる温度および周波数と照らし合わし、線形補間等の処理を行ってデュプレクサ１２の温度による周波数特性の変化を吸収する値を算出する。そして、制御部１５は、ＡＧＣ増幅器１３１を制御して送信電力が最大となるように制御する。なお、ここでの補間方法はスプライン補間などでもよく、特に限定されない。
【００５７】
（ステップＳＴ４）
送信が終了するまでの期間、ステップＳＴ３の処理をたとえば１０６．２５ｍｓごと（ステップＳＴ３３）に繰り返す。
【００５８】
本実施形態では、補正データを記憶する処理領域１６２を新たに設け、設定チャネルに対応した周波数の補正データを処理領域１６２に記憶させるため、処理領域１６２からのみ必要な補正データを読み出せばよく、フラグのチェック動作という実行ステップを削減でき（図３（Ｂ）のステップＳＴ３２ａ）、従来技術の処理よりも高速な送信電力補正が可能である。
【００５９】
本実施形態に係る携帯電話がもつ処理は、図７および図８に示す手順に応じたプログラムとして形成し、ＣＰＵ等のコンピュータで実行するように構成することが可能で、すべてをソフトウェアによって実現しても、あるいはその少なくとも一部をハードウェアで実現してもよい。
このようなプログラムは、半導体メモリ、磁気ディスク、光ディスク、フロッピー（登録商標）ディスク等の記録媒体、この記録媒体をセットしたコンピュータによりアクセスし上記プログラムを実行するように構成可能である。
【００６０】
本実施形態は、温度条件および周波数条件によって送信電力が変化するＳＡＷフィルタ１２１，１２５と、デュプレクサ１２と、温度条件およびの周波数条件に応じてデュプレクサ１２の送信電力を補正するための補正データを記憶するデータ領域１６１と、補正データのうち現在の周波数条件に応じた補正データを記憶する処理領域１６２と、所定の周期で処理領域１６２から補正データを読み出して、デュプレクサ１２の送信電力を制御する制御部と有する。
さらに、送信周波数を複数のグループに分割し、高速処理においては補正データ切り替え処理を行う。
【００６１】
したがって、本実施形態によれば、精度よく安定した送信電力を供給できるだけでなく、周波数によって温度特性が異なるデュプレクサ等の非制御対象を携帯電話機等に使用できるため、小型化や低コスト化が容易となる利点がある。
本実施形態はプログラムとして実行可能であるため、新たに回路等を追加する必要がない利点がある。
送信周波数に合わせた補正データを個別にもつ必要がなく、使用する記憶領域の増加を抑えることができる。
高速処理においては、チャネル変更時にのみ周波数を検出し、使用する周波数帯域に対応した補正データを使用するため、基本処理よりも高速に送信電力を制御できる。
【００６２】
本実施形態は、携帯電話機の他に、ＰＨＳ（Personal Handy-phone System）等の電子機器にも好適に適用できる。
本発明に係る非制御対象は温度条件およびの周波数条件によって送信電力が変化するものであれば特に限定されず、本発明は当業者であれば本発明の要旨を変更しない範囲内で様々な改変が可能である。
【図面の簡単な説明】
【００６３】
【図１】記憶部の構成例を示す図である
【図２】電子機器の動作を示すフローチャートである。
【図３】電子機器の動作を示すフローチャートである。
【図４】本発明に係る電子機器の一実施形態の構成例を示すブロック図である。
【図５】本実施形態に係るデュプレクサのフィルタ特性を示す一例の図である。
【図６】本実施携帯に係る記憶部の高速処理の構成例を示す図である。
【図７】本実施形態に係る電子機器の動作を示す高速処理のフローチャートである。
【図８】本実施形態に係る電子機器の動作を示す高速処理のフローチャートである。
【図９】電子機器を構成する送信回路の従来例を示すブロック図である。
【図１０】デュプレクサのフィルタ特性を示す一例の図ある。
【符号の説明】
【００６４】
１０…携帯電話機、１１…アンテナ、１２…デュプレクサ、１３…増幅回路系、１４…複変調回路系、１５…制御部、１６…記憶部、１７…音声処理部、１８…表示部、１９…操作部、２０…温度センサ、１２１…ＳＡＷフィルタ、１２２…アイソレータ、１２３…分波回路、１２４…低雑音増幅器、１２５…ＳＡＷフィルタ、１３１…ＡＧＣ増幅器、１３２…増幅器、１４１…変調回路、１４２…復調回路、１６１…データ領域、１６２…処理領域、１７１…スピーカ、１７２…マイクロフォン、２０１…Ａ／Ｄ変換器、Ｒｘ…受信信号、Ｔｘ…送信信号。
【図１】
0005242185.tif 000002
【図２】
0005242185.tif 000003
【図３】
0005242185.tif 000004
【図４】
0005242185.tif 000005
【図５】
0005242185.tif 000006
【図６】
0005242185.tif 000007
【図７】
0005242185.tif 000008
【図８】
0005242185.tif 000009
【図９】
0005242185.tif 000010
【図１０】
0005242185.tif 000011